(57)【要約】  本発明は、自動販売機と、支払いサーバと、バックグラウンド管理とを含む顔識別に基づく新型小売システムおよび方法を開示する。自動販売機には、カメラ、携帯番号入力モジュール、チャージシステム、シングルチップマイコンマスタ制御基板、オフライン通信デバイスおよび出荷システムが設けられ、カメラ、携帯番号入力モジュール、およびチャージシステムはシングルチップマイコンマスタ制御基板の入力端に接続され、シングルチップマイコンマスタ制御基板の出力端は、オフライン通信デバイスおよび出荷システムに接続され、オフライン通信デバイスと支払いサーバとはローカルエリアネットワークによって通信コネクションを確立し、シングルチップマイコンマスタ制御基板は、順に消費者の携帯番号と顔データをオフラインコードに変換してオフライン通信デバイスによって支払いサーバに伝送し、支払いサーバは、自動販売機とバックグラウンド管理との間に介在し、バックグラウンド管理は、顔サーバ、バックグラウンドチャージサービスモジュールおよびビッグデータモジュールを含む。本発明は、顔識別に基づき、オフライン支払いの形態を用いて、ネットワークと移動端末に依存せず、セキュリティが高い。【選択図】なし
2020519978.tif 000002
【特許請求の範囲】
【請求項１】
自動販売機と、支払いサーバと、バックグラウンド管理とを含む顔識別に基づく新型小売システムであって、
前記自動販売機には、カメラ、携帯番号入力モジュール、チャージシステム、シングルチップマイコンマスタ制御基板、オフライン通信デバイスおよび出荷システムが設けられ、
前記カメラ、携帯番号入力モジュール、およびチャージシステムはシングルチップマイコンマスタ制御基板の入力端に接続され、前記シングルチップマイコンマスタ制御基板の出力端は、オフライン通信デバイスおよび出荷システムに接続され、前記自動販売機のオフライン通信デバイスと支払いサーバとはローカルエリアネットワークによって通信コネクションを確立し、前記シングルチップマイコンマスタ制御基板は、順に消費者の携帯番号と顔データをオフラインコードに変換してオフライン通信デバイスによって支払いサーバに伝送し、前記支払いサーバは、自動販売機とバックグラウンド管理との間に介在し、前記バックグラウンド管理は、顔サーバ、バックグラウンドチャージサービスモジュールおよびビッグデータモジュールを含む、顔識別に基づく新型小売システム。
【請求項２】
前記顔識別に基づく新型小売システムは、ユーザ携帯電話端末の支払い消費クライアントによって顔データの採集と支払い操作を行うことができ、前記自動販売機には、販売機２次元バーコードモジュールが設けられ、前記販売機２次元バーコードモジュールがシングルチップマイコンマスタ制御基板の入力端に接続され、前記ユーザ携帯電話端末が販売機２次元バーコードモジュールの走査によって自動販売機とコネクションを確立し、前記ユーザ携帯電話端末と支払いサーバとがネットワークによって通信を行う、請求項１に記載の顔識別に基づく新型小売システム。
【請求項３】
前記顔データの採集は、顔画像のアップロードまたは生体検出である、請求項１または２に記載の顔識別に基づく新型小売システム。
【請求項４】
前記バックグラウンドチャージサービスモジュールは、管理者が手動で入力するチャージモジュールと、消費者が第三者支払いプラットホームを借用するインターネットチャージモジュールとを含む、請求項２に記載の顔識別に基づく新型小売システム。
【請求項５】
前記自動販売機においてシングルチップマイコンマスタ制御基板の入力端に接続された充電ポートが設けられ、前記充電ポートは、充電線によってユーザの携帯電話端末に給電可能である、請求項２に記載の顔識別に基づく新型小売システム。
【請求項６】
ユーザが自動販売機の商品リストまたは移動端末から商品を選択・購入するステップＡと、
自動販売機の制御パネルまたは移動端末に携帯番号を入力し、自動販売機が同時に携帯番号と商品情報をオフラインコードに変換して支払いサーバに送信するステップＢと、
支払いサーバが受信した携帯番号に基づいて当該携帯電話に関連するユーザ情報を問い合わせ、支払い待ちの注文書を作成し、注文書ＩＤを自動販売機に戻すステップＣと、
自動販売機の制御パネルまたは移動端末に顔データを入力し、当該顔データをオフラインコードに変換して支払いサーバに送信するステップＤと、
受信した顔データと顔サーバに予め設定した顔画像に対して新旧照合を行うステップＥと、
照合が成功した後、決済を行い、自動販売機から出荷するステップＦとを含む、顔識別に基づく新型小売方法。
【請求項７】
ステップＢでは、前記商品情報は、商品名称、数量および価格を含む、請求項６に記載の顔識別に基づく新型小売方法。
【請求項８】
ステップＣでは、前記ユーザ情報は、ユーザの画像データおよび残高を含む、請求項６に記載の顔識別に基づく新型小売方法。
【請求項９】
ステップＤでは、前記顔データの入力は、顔画像のアップロードまたは生体検出である、請求項６に記載の顔識別に基づく新型小売方法。
【発明の詳細な説明】
【技術分野】
【０００１】
本発明は、自動販売機の技術分野に関し、特に、顔識別に基づく新型小売システムおよび方法に関する。
【背景技術】
【０００２】
自動販売機では、従来の現金支払い操作が複雑であり、機器の故障が多く、コストが高く、セキュリティが悪い。そのため、販売機とモバイル支払いとを組み合わせる傾向となっている。このような組み合わせは、現金、硬幣、小銭と決別し、消費者の買い物の利便性を大幅に向上させる。しかしながら、このような組み合わせは、ネットワーク、および移動端末に依存しなければならず、ある程度の不便をもたらし、消費者がユーザ名、パスワードなどの検証情報を入力しなければ、支払いを完成できず、検証情報の忘れ、紛失や盗難などにより、消費者に多くの不便をもたらしている。
【０００３】
顔識別技術は、急速発展段階にある。各人の顔が唯一性を有するため、顔で身分識別を行うことはセキュリティが高い。そのため、情報に対する暗号化過程を省き、セキュリティを向上させ、外出に便利で、支払いが手軽となる、顔をパスワードとして身分検証を行う支払いシステムを開発することができる。且つ、支払いシステムのハードウェアコストを低下させ、支払いの成功率を向上させると共に、支払い過程がより簡単で、安全である。
【発明の概要】
【発明が解決しようとする課題】
【０００４】
本発明は、従来技術の不足を克服し、人体の唯一の特徴に基づき、オフライン支払いの形態を用いて、ネットワークと移動端末に依存せず、セキュリティが高い顔識別に基づく新型小売システムおよび方法を提供することを目的とする。
【課題を解決するための手段】
【０００５】
本発明の技術案は以下の通りである。自動販売機と、支払いサーバと、バックグラウンド管理とを含む顔識別に基づく新型小売システムであって、前記自動販売機には、カメラ、携帯番号入力モジュール、チャージシステム、シングルチップマイコンマスタ制御基板、オフライン通信デバイスおよび出荷システムが設けられ、前記カメラ、携帯番号入力モジュール、およびチャージシステムはシングルチップマイコンマスタ制御基板の入力端に接続され、前記シングルチップマイコンマスタ制御基板の出力端は、オフライン通信デバイスおよび出荷システムに接続され、前記自動販売機のオフライン通信デバイスと支払いサーバとはローカルエリアネットワークによって通信コネクションを確立し、前記シングルチップマイコンマスタ制御基板は、順に消費者の携帯番号と顔データをオフラインコードに変換してオフライン通信デバイスによって支払いサーバに伝送し、前記支払いサーバは、自動販売機とバックグラウンド管理との間に介在し、前記バックグラウンド管理は、顔サーバ、バックグラウンドチャージサービスモジュールおよびビッグデータモジュールを含む、顔識別に基づく新型小売システム。
【０００６】
上記技術案において、前記顔識別に基づく新型小売システムは、ユーザ携帯電話端末の支払い消費クライアントによって顔データの採集と支払い操作を行ってもよい。前記自動販売機には、販売機２次元バーコードモジュールが設けられ、前記販売機２次元バーコードモジュールがシングルチップマイコンマスタ制御基板の入力端に接続され、前記ユーザ携帯電話端末が販売機２次元バーコードモジュールの走査によって自動販売機とコネクションを確立し、前記ユーザ携帯電話端末と支払いサーバとがネットワークによって通信を行う。
【０００７】
上記技術案において、前記顔データの採集は、顔画像のアップロードまたは生体検出であってもよい。
【０００８】
上記技術案において、前記バックグラウンドチャージサービスモジュールは、管理者が手動で入力するチャージモジュールと、消費者が第三者支払いプラットホームを借用するインターネットチャージモジュールとを含む。
【０００９】
上記技術案において、前記自動販売機においてシングルチップマイコンマスタ制御基板の入力端に接続された充電ポートが更に設けられ、前記充電ポートは、充電線によってユーザ携帯電話端末に給電可能である。
【００１０】
顔識別に基づく新型小売方法は、
ユーザが自動販売機の商品リストまたは移動端末から商品を選択・購入するステップＡと、
自動販売機の制御パネルまたは移動端末に携帯番号を入力し、自動販売機が同時に携帯番号と商品情報をオフラインコードに変換して支払いサーバに送信するステップＢと、
支払いサーバが受信した携帯番号に基づいて当該携帯電話に関連するユーザ情報を問い合わせ、支払い待ちの注文書を作成し、注文書ＩＤを自動販売機に戻すステップＣと、
自動販売機の制御パネルまたは移動端末に顔データを入力し、当該顔データをオフラインコードに変換して支払いサーバに送信するステップＤと、
受信した顔データと顔サーバに予め設定した顔画像に対して新旧照合を行うステップＥと、
照合が成功した後、決済を行い、自動販売機から出荷するステップＦとを含む。
【００１１】
ステップＢでは、前記商品情報は、商品名称、数量および価格を含む。
【００１２】
ステップＣでは、前記ユーザ情報は、ユーザの画像データおよび残高を含む。
【００１３】
ステップＤでは、前記顔データの入力は、顔画像のアップロードまたは生体検出であってもよい。
【発明の効果】
【００１４】
従来技術に対して、本発明は以下の有益な効果を奏する。本発明は、顔識別に基づき、ユーザ携帯番号を利用し、ユーザの顔情報を問い合わせて照合を行い、ローカルエリアネットワークオフライン伝送の形態を用いることにより、消費者はネットワークに依存しないだけでなく、移動端末機器に依存せずに消費を行うことができ、販売機の消費エクスペリエンスが極めて便利になり、システム通信の安全・信頼を保証し、支払いシステムのハードウェアコストを低下させる。
【図面の簡単な説明】
【００１５】
【図１】本発明の実施例１に係る顔識別に基づく新型小売システムの原理ブロック図である。
【図２】本発明の実施例２に係る顔識別に基づく新型小売方法のフローチャートである。
【発明を実施するための形態】
【００１６】
以下、図面と具体的な実施例を結び付けて本発明について詳細に説明する。
【００１７】
実施例１
図１に示すように、本実施例は、自動販売機と、支払いサーバと、バックグラウンド管理とを含む顔識別に基づく新型小売システムを提供する。自動販売機には、カメラ、携帯番号入力モジュール、チャージシステム、シングルチップマイコンマスタ制御基板、オフライン通信デバイスおよび出荷システムが設けられ、カメラ、携帯番号入力モジュール、およびチャージシステムはシングルチップマイコンマスタ制御基板の入力端に接続され、シングルチップマイコンマスタ制御基板の出力端は、オフライン通信デバイスおよび出荷システムに接続され、自動販売機のオフライン通信デバイスと支払いサーバとはローカルエリアネットワークによって通信コネクションを確立し、シングルチップマイコンマスタ制御基板は、順に消費者の携帯番号と顔データをオフラインコードに変換してオフライン通信デバイスによって支払いサーバに伝送し、支払いサーバは、自動販売機とバックグラウンド管理との間に介在し、バックグラウンド管理は、顔サーバ、バックグラウンドチャージサービスモジュールおよびビッグデータモジュールを含む。前記バックグラウンドチャージサービスモジュールは、管理者が手動で入力するチャージモジュールと、消費者が第三者支払いプラットホームを借用するインターネットチャージモジュールとを含む。
【００１８】
実施原理は以下の通りである。自動販売機で商品を選定した後、自動販売機における携帯番号入力モジュールで携帯番号を入力し、当該携帯番号と商品情報がシングルチップマイコンマスタ制御基板に伝送されてオフラインコードに変換され、オフライン通信デバイスによって支払いサーバに送信され、支払いサーバが携帯番号に従って顔サーバから当該携帯番号に関連するユーザのデータおよび残高を含むユーザ情報を取得し、１つの支払い待ちの注文書を作成し、注文書ＩＤをシングルチップマイコンマスタ制御基板に戻す。次に、自動販売機におけるカメラによって顔データを入力し、オフラインコードに変換して支払いサーバにより復号した後、顔サーバに送信して予め設定した顔画像と新旧照合を行い、照合が成功した場合、決済を行い、自動販売機から出荷し、決済が失敗した場合、残高が十分ではないことを表明し、チャージシステムによってチャージを行うことが可能である。消費者はネットワークに依存しないだけでなく、移動端末機器に依存せずに消費を行うことができることで、販売機の消費エクスペリエンスが極めて便利になり、システム通信の安全・信頼を保証し、支払いシステムのハードウェアコストを低下させる。
【００１９】
ユーザは、顔データを入力する場合、自分の顔画像をアップロードすることができる。ユーザによる悪事を減らすために生体検出を行うことが可能であり、その方法は、顔識別による支払いの過程と類似し、ユーザに幾つかの顔動作を提示し、顔サーバによって生体検出を行い、検出が成功すれば、そのうちの１つの顔画像を記憶し、成功したというメッセージをフィードバックするものである。
【００２０】
当該顔識別に基づく新型小売システムは、ユーザ携帯電話端末の支払い消費クライアントによって顔データの採集と支払い操作を行ってもよい。自動販売機には、販売機２次元バーコードモジュールが設けられ、販売機２次元バーコードモジュールがシングルチップマイコンマスタ制御基板の入力端に接続され、ユーザ携帯電話端末が販売機２次元バーコードモジュールの走査によって自動販売機とコネクションを確立し、ユーザ携帯電話端末と支払いサーバとがネットワークによって通信を行う。
【００２１】
自動販売機においてシングルチップマイコンマスタ制御基板の入力端に接続された充電ポートが更に設けられ、充電ポートは、充電線によってユーザ携帯電話端末に給電可能である。
【００２２】
実施例２
図２に示すように、本実施例は、以下のステップを含む顔識別に基づく新型小売方法を提供する。
【００２３】
ステップＡ：ユーザが自動販売機の商品リストまたは移動端末から商品を選択・購入する。
【００２４】
ステップＢ：自動販売機の制御パネルまたは移動端末に携帯番号を入力し、自動販売機が同時に携帯番号と商品情報をオフラインコードに変換して支払いサーバに送信する。
【００２５】
そのうち、前記商品情報は、商品名称、数量および価格を含む。
【００２６】
ステップＣ：支払いサーバが受信した携帯番号に基づいて当該携帯電話に関連するユーザ情報を問い合わせ、支払い待ちの注文書を作成し、注文書ＩＤを自動販売機に戻す。
【００２７】
そのうち、前記ユーザ情報は、ユーザの画像データおよび残高を含む。
【００２８】
ステップＤ：自動販売機の制御パネルまたは移動端末に顔データを入力し、当該顔データをオフラインコードに変換して支払いサーバに送信する。
【００２９】
前記顔データの入力は、顔画像のアップロードまたは生体検出であってもよい。本実施例において、生体検出を用いることにより、ユーザは提示に従って顔動作を行い、例えば、ユーザに横顔、笑顔などの動作を提示する。
【００３０】
ステップＥ：支払いサーバは、顔サーバによる生体検出が成功した場合、受信した顔データと顔サーバに予め設定した顔画像に対して新旧照合を行う。
【００３１】
ステップＦ：照合が成功した場合、決済を行い、自動販売機から出荷し、照合が失敗した場合、顔入力の操作を改めて行い、決済が失敗した場合、残高が十分ではないことを表明し、チャージ操作を行う必要がある。
【００３２】
上記内容は、本発明の好ましい実施例に過ぎず、本発明を限定するためのものではない。本発明の思想と原則の範囲内で行われるすべての修正、均等置換および改良などは、本発明の保護範囲に含まれるべきである。
【図１】
2020519978.tif 000003
【図２】
2020519978.tif 000004
【国際調査報告】
2020519978.tif 000005
2020519978.tif 000006
2020519978.tif 000007
2020519978.tif 000008